(57)【特許請求の範囲】
【請求項１】
複数の設定項目からなる縫製データに基づいて縫製を行うミシンにおいて、
前記各設定項目の設定値を変更入力する入力処理と、
前記各設定項目のうちの互いに関連する設定項目の設定値を、前記互いに関連する設定項目の関連を表した判別式に代入することによって、前記互いに関連する設定項目の設定値について誤りがあるか否かを判断する判断処理と、
前記判断処理によって誤りがあると判断された場合、前記互いに関連する設定項目を一括表示して知らしめる告知処理とを実行する処理装置を、備え、
前記処理装置が、前記告知処理において、前記各設定項目に係る項目番号又は画像のうち前記互いに関連する設定項目に係る項目番号又は画像のみを表示装置に一括表示させることによって、前記互いに関連する設定項目を知らしめ、前記互いに関連する設定項目に対してのみ設定値の入力を限定することを特徴とするミシン。
【請求項２】
複数の設定項目からなる縫製データに基づいて縫製を行うミシンにおいて、
前記各設定項目の設定値を変更入力する入力処理と、
前記各設定項目のうちの互いに関連する設定項目の設定値を、前記互いに関連する設定項目の関連を表した判別式に代入することによって、前記互いに関連する設定項目の設定値について誤りがあるか否かを判断する判断処理と、
前記判断処理によって誤りがあると判断された場合、前記互いに関連する設定項目を一括表示して知らしめる告知処理とを実行する処理装置を、備え、
前記処理装置が、前記告知処理において、前記互いに関連する設定項目に係る項目番号又は画像を、他の設定項目に係る項目番号又は画像の表示態様と異なるように表示装置に表示させることによって、前記互いに関連する設定項目を知らしめ、前記互いに関連する設定項目に対してのみ設定値の入力を限定することを特徴とするミシン。
【請求項３】
複数の設定項目からなる縫製データに基づいて縫製を行うミシンにおいて、
前記各設定項目の設定値を変更入力する入力処理と、
前記各設定項目のうちの互いに関連する設定項目の設定値を、前記互いに関連する設定項目の関連を表した判別式に代入することによって、前記互いに関連する設定項目の設定値について誤りがあるか否かを判断する判断処理と、
前記判断処理により誤りがあると判断された場合、前記互いに関連する設定項目に対してのみ設定値の入力を限定する限定処理とを実行する処理装置を、備えるとともに、
前記各設定項目のうちの少なくとも一つの設定項目に係る項目番号を表示するとともに、操作されることで表示される項目番号を切り替え、更に表示された項目番号に係る設定項目の設定値を表示し、エラー告知用の点灯部が設けられる操作パネルを備え、
前記限定処理において、前記処理装置が、前記点灯部を点灯又は点滅したうえで、前記操作パネルに表示される項目番号及び設定値を、前記互いに関連する設定項目に係る項目番号及び設定値に限定するように、前記操作パネルを制御することを特徴とするミシン。
【発明の詳細な説明】
【０００１】
【発明の属する技術分野】
本発明は、電子的な制御によって縫製を行うミシンに関する。
【０００２】
【従来の技術】
近年ミシンの電子化が進み、制御装置を備えたミシンが種々ある。制御装置が、縫いに係る縫製データに基づいてミシンの各機構を制御することで、ミシンの各機構が、縫製データに従った動作を行い、縫い目が布に形成される。このようなミシンでは、様々な形状の縫い目が形成されるように、縫製データの各項目について設定値を変更して入力することができるようになっている。つまり、制御装置には、操作パネル、キーボード或いはマウスといった入力装置が接続されており、作業者等が入力装置を操作することによって各項目の設定値を変更して入力することができる。
【０００３】
各項目の設定値からなる縫製データによってミシンが動作するが、ある縫製データ（以下、誤データと述べる。）では制御装置がミシンの各機構を制御できず、ミシンが動作不良になってしまうことがある。そこで、制御装置は、縫製前に、入力された各項目の設定値について誤データとなってしまうか否かを判断し、誤データとなってしまう場合に、エラーである旨が操作パネルに設けられている四桁の七セグメント等の表示器に表示される。
【０００４】
【発明が解決しようとする課題】
しかし、従来のミシンでは、各項目のうち関連する項目が誤条件を満たした結果、誤データとなってしまう場合、どの項目に誤りがあるのかということは作業者等には把握できなかった。例えば、関連する項目を項目α、項目β、項目γとし、誤条件が「項目α＋項目β＋項目γ＞１０」だとした場合、作業者等が入力した項目α，β，γの設定値が誤条件を満たしてしまうと、表示器には「Ｅ−０１」といった表示しかなされない。この際、作業者等は、ミシンの説明書等を読んで、「Ｅ−０１」の意味を把握しなければ、項目α，β，γの設定値を入力しなおせない。
【０００５】
そこで、本発明が解決しようとする課題は、どの項目に誤りがあるのかということを作業者等にとって把握できるようにすることである。
【０００６】
【課題を解決するための手段】
以上の課題を解決するため、請求項１記載の発明は、例えば図１、図２、図６、図１４又は図１７に示すように、複数の設定項目からなる縫製データに基づいて縫製を行うミシン（例えば、ボタン穴かがり縫いミシン１）において、
前記各設定項目の設定値を変更入力する入力処理（例えば、ステップＳ１３）と、
前記各設定項目のうちの互いに関連する設定項目の設定値を、前記互いに関連する設定項目の関連を表した判別式に代入することによって、前記互いに関連する設定項目の設定値について誤りがあるか否かを判断する判断処理（例えば、ステップＳ１７）と、
前記判断処理によって誤りがあると判断された場合、前記互いに関連する設定項目を一括表示して知らしめる告知処理（例えば、ステップＳ１８）とを実行する処理装置（例えば、制御装置１１０）を、備え、
前記処理装置が、前記告知処理において、前記各設定項目に係る項目番号又は画像のうち前記互いに関連する設定項目に係る項目番号又は画像（項目ボタン３０８−２〜項目ボタン３０８−４）のみを表示装置（ＬＣＤ１２９）に一括表示させることによって、前記互いに関連する設定項目を知らしめ、前記互いに関連する設定項目を知らしめ、前記互いに関連する設定項目に対してのみ設定値の入力を限定することを特徴とする。
【０００７】
請求項１記載の発明では、作業者等が操作パネル、キーボード、マウス或いはタッチパネル等の入力装置を操作することで、処理装置が各設定項目の設定値を入力装置から入力し、関連する設定項目について設定値に誤りがあるか否かを判断する。処理装置は、誤りがあると判断した場合に、関連する設定項目を作業者等に知らしめる。従って、入力した設定項目の設定値のうち、どの設定項目の設定値に誤りがあるかを把握することが、作業者等にとって可能である。これにより、その関連する設定項目について設定値を変更するだけで済むから、エラーとなったミシンの復帰をスムーズに行える。
【０００９】
また、関連する設定項目の設定値に誤りがある場合に、関連する設定項目に係る項目番号又は画像のみが表示されるため、複数の設定項目の中のどの設定項目の設定値に誤りがあるかを把握することが、作業者等にとって可能である。
また、関連する設定項目についてのみ、設定値の入力が限定されることから、入力した設定項目の設定値のうち、どの設定項目の設定値に誤りがあるかを把握することが可能であり、また、関連する設定項目について設定値を変更するだけで済む。従って、エラーとなったミシンの復帰をスムーズに行える。
【００１４】
請求項２に記載の発明は、例えば図２、図１３又は図１５に示すように、複数の設定項目からなる縫製データに基づいて縫製を行うミシンにおいて、
前記各設定項目の設定値を変更入力する入力処理と、
前記各設定項目のうちの互いに関連する設定項目の設定値を、前記互いに関連する設定項目の関連を表した判別式に代入することによって、前記互いに関連する設定項目の設定値について誤りがあるか否かを判断する判断処理と、
前記判断処理によって誤りがあると判断された場合、前記互いに関連する設定項目を一括表示して知らしめる告知処理とを実行する処理装置を、備え、
前記処理装置が、前記告知処理において、前記互いに関連する設定項目に係る項目番号又は画像（項目ボタン３０８−２〜項目ボタン３０８−４）を、他の設定項目に係る項目番号又は画像（項目ボタン３０８−１及び項目ボタン３０８−５〜項目ボタン３０８−９）の表示態様と異なるように表示装置（ＬＣＤ１２９）に表示させることによって、前記互いに関連する設定項目を知らしめ、前記互いに関連する設定項目に対してのみ設定値の入力を限定することを特徴とする。
【００１５】
請求項２記載の発明では、関連する設定項目の設定値に誤りがある場合に、関連する設定項目に係る項目番号又は画像の表示態様が、他の設定項目に係る項目番号又は画像の表示態様と異なるため、複数の設定項目の中のどの設定項目の設定値に誤りがあるかを把握することが、作業者等にとって可能である。
また、関連する設定項目についてのみ、設定値の入力が限定されることから、入力した設定項目の設定値のうち、どの設定項目の設定値に誤りがあるかを把握することが可能であり、また、関連する設定項目について設定値を変更するだけで済む。従って、エラーとなったミシンの復帰をスムーズに行える。
【００３２】
請求項３記載の発明は、例えば図１９に示すように、
複数の設定項目からなる縫製データに基づいて縫製を行うミシンにおいて、
前記各設定項目の設定値を変更入力する入力処理と、
前記各設定項目のうちの互いに関連する設定項目の設定値を、前記互いに関連する設定項目の関連を表した判別式に代入することによって、前記互いに関連する設定項目の設定値について誤りがあるか否かを判断する判断処理と、
前記判断処理により誤りがあると判断された場合、前記互いに関連する設定項目に対してのみ設定値の入力を限定する限定処理とを実行する処理装置を、備えるとともに、
前記各設定項目のうちの少なくとも一つの設定項目に係る項目番号を表示するとともに、操作されることで表示される項目番号を切り替え、更に表示された項目番号に係る設定項目の設定値を表示し、エラー告知用の点灯部が設けられる操作パネル（例えば、操作パネル１５１）を備え、
前記限定処理において、前記処理装置が、前記点灯部を点灯又は点滅したうえで、前記操作パネルに表示される項目番号及び設定値を、前記互いに関連する設定項目に係る項目番号及び設定値に限定するように、前記操作パネルを制御することを特徴とする。
【００３３】
請求項３記載の発明では、関連する設定項目の設定値に誤りがある場合に、操作パネルに表示される項目番号及び設定値が、関連する設定項目に係る項目番号及び設定値に限定されるため、複数の設定項目の中のどの設定項目の設定値に誤りがあるかを把握することが、作業者等にとって可能である。
【００４２】
【発明の実施の形態】
以下に、本発明の一例として、図面を用いて具体的な態様を説明する。ただし、図面は概略的に示してあるもので、発明の範囲を図示例に限定するものではない。
〔第一の実施の形態〕
図１に、本発明が適用されたボタン穴かがり縫いミシンを示す。このボタン穴かがり縫いミシン１は、図３に示すように、布にボタン穴２００を形成するとともに、ボタン穴２００の形成前又は形成後にボタン穴２００の周囲に穴かがり縫い目２０１を施すものである。穴かがり縫い目２０１は、ボタン穴２００の左側に形成されたジグザグ状の左側縫い部２０２と、ボタン穴２００の奥側に形成されたジグザグ状の第一閂止め縫い部２０３と、ボタン穴２００の右側に形成されたジグザグ状の右側縫い部２０４と、ボタン穴の手前側に形成されたジグザグ状の第二閂止め縫い部２０５とから構成されている。
【００４３】
ボタン穴かがり縫いミシン１の構成について説明する。ボタン穴かがり縫いミシン１は、略水平なベッド面を有するベッド部２と、ベッド部２の後部において起立した縦胴部３と、縦胴部３の上部からベッド部２に平行となって延出したアーム部４と、アーム部４の前端部から下方に向けて突出する針棒８と、針棒８の下端に取り付けられたミシン針９と、布を送る布送り装置５２と、アーム部４の前端部から下方に向けて突出する布切りメス１６と、針棒８の直下においてベッド部２内に設けられた釜装置（図示略）と、上糸を切断する上糸切断装置８０と、下糸を切断する下糸切断装置（図示略）と、ボタン穴かがり縫いミシン１全体を制御する制御装置１１０（図２）とを備える。
【００４４】
布送り装置５２は、布が載置される布送り板１４と、この布送り板１４へと布を押さえつける布押え１５とを備えている。布送り装置５２は、Ｙ送りパルスモータ２０（図２）により前後に駆動され、また、布押え１５は、押え上げソレノイド１２７（図２）により上下に駆動される。
【００４５】
針棒８は、ミシンモータ５（図２）によって上下に駆動される。また、ミシンモータ５（図２）の回転は、ベッド部２内の釜装置へと伝達され、これにより、針棒８と釜装置とが連動して布に縫い目を形成する。
【００４６】
針棒８は、図示しない針振り機構によって左右へと移動可能とされている。針振り機構は、ある基線を原点として左右方向の所与の振り幅でミシン針９を振る主針振り機構と、この振り幅を変更する振り幅変更機構と、基線を左右方向に変更する基線変更機構とを備えている。
【００４７】
主針振り機構はミシンモータ５（図２）の回転によって駆動され、これにより、針棒８は上下動と共に左右方向へも揺動する。
振り幅変更機構は針振り送りパルスモータ４１（図２）によって駆動され、これにより、振り幅が変更される。
基線変更機構は基線送りパルスモータ４０（図２）によって駆動され、これにより、基線が左右に変更される。
【００４８】
上糸切断装置８０は上糸切断アクチュエータ７６（図２）によって駆動され、また、下糸切断装置（図示略）は下糸切断アクチュエータ６６（図２）によって駆動される。
布切りメス１６は布切りメスシリンダ１９（図２）によって駆動される。
【００４９】
図２に示すように、制御装置１１０は、ＣＰＵ１１１、ＲＯＭ１１２、ＲＡＭ１１３及びこれらを接続するバスを有する演算処理装置を基本構成としている。更に、制御装置１１０は、各パルスモータの駆動制御を行うＹ送りパルスモータドライバ１１４、基線送りパルスモータドライバ１１５及び針振り送りパルスモータドライバ１１６を具備する。更に、制御装置１１０は、上糸切断アクチュエータ７６の駆動制御を行う上糸切断アクチュエータドライバ１１７と、下糸切断アクチュエータ６６の駆動制御を行う下糸切断アクチュエータドライバ１１８と、押え上げソレノイド１２７の駆動制御を行う押え上げソレノイドドライバ１２６と、布切りメスシリンダ１９の駆動制御を行うシリンダドライバ１２０と、ミシンモータ５の駆動制御を行うミシンモータドライバ１１９と、を具備する。これらドライバは、ＣＰＵ１１１に接続されており、ＣＰＵ１１１の信号に従ってパルスモータ、アクチュエータ、モータ又はシリンダの制御を行うものである。
【００５０】
ミシンモータドライバ１１９には、ミシンモータ５に加えて、ミシンモータ５の回転量をコード化するミシンモータエンコーダ１２１、ミシン針９が上方位置にあることを検出する針上位置センサ１２２、及び、ミシンモータ５の回転速度を検出するＴＧ（タコジェネレーター）発生器１２３等が接続されている。
さらにＣＰＵ１１１には、布押え１５の上昇・下降を指示するための押えスイッチ１２４、及び、ミシンモータ５の駆動スタートを指示するためのスタートスイッチ１２５等が接続されている。
【００５１】
ＣＰＵ１１１には表示制御回路１２８が接続されており、表示制御回路１２８には液晶表示装置（以下、ＬＣＤという。）１２９が接続されている。表示制御回路１２８は、ＣＰＵ１１１からの信号に従ってＬＣＤ１２９を制御して、ＬＣＤ１２９に種々の画像を表示させるものである。
【００５２】
ＣＰＵ１１１には、タッチパネル１００が接続されている。このタッチパネル１００はＬＣＤ１２９の表示面に設けられている。タッチパネル１００は、ＬＣＤ１２９の表示面上においてタッチパネル１００がタッチされたことを検知して、その旨をＣＰＵ１１１に出力する。これにより、作業者等は、タッチパネル１００を操作（即ち、接触）することで種々のデータを入力することができる。ＬＣＤ１２９には、作業者等がタッチパネル１００を操作して種々のデータを入力し易くするための画像が主に表示される。
【００５３】
ＲＯＭ１１２には、ＣＰＵ１１１が読取り可能な制御プログラム１３０が格納されている。制御プログラム１３０は、タッチパネル１００に対する操作によってデータを設定するための設定処理、設定されたデータに基づいて針下降位置及び針下降順序（以下、針下降位置及び針下降順序をまとめて、縫製パターンデータと述べる。）を演算するための演算処理、及び、縫製パターンデータに従って縫製動作を行うための縫製処理等に関するプログラムである。
【００５４】
また、ＲＯＭ１１２には、縫製パターンデータを演算する際に参照するための縫製用データベース１３２が格納されている。具体的には、縫製用データベース１３２は、図４に模式的に示されるようなデータベースである。図４に示すように、縫製用データベース１３２は、ボタン穴かがり縫いミシン１による縫製に係る複数の縫製データから構成されている。縫製データ毎にパターンＮｏ．が付されており、パターンＮｏ．によって各縫製データが識別される。また、各縫製データには、種々の設定項目が含まれている。設定項目毎に項目Ｎｏ．が付されており、項目Ｎｏ．によって各設定項目が識別される。また、各設定項目に対して、値の設定可能な範囲（以下、設定範囲という。）及び予め設定されている値（以下、デフォルト値という。）が対応づけられている。
【００５５】
各設定項目について、図３及び図４を参照して説明する。設定項目としては、ボタン穴２００の前後長となる「布切り長さ」、ボタン穴２００から左側縫い部２０２の右側縁までの距離となる「メス溝幅・左」、ボタン穴２００から右側縫い部２０４の左側縁までの距離となる「メス溝幅・右」、左側縫い部２０２及び右側縫い部２０４の左右幅となる「かがり幅」、左側縫い部２０２及び右側縫い部２０４において連続した二針間の前後方向の距離となる「平行部ピッチ」、第一閂止め縫い部２０３及び第二閂止め縫い部２０５の左側縁から左側縫い部２０２の左側縁までの距離となる「閂止め幅左補正」、第一閂止め縫い部２０３及び第二閂止め縫い部２０５の右側縁から右側縫い部２０４の右側縁までの距離となる「閂止め幅右補正」、ボタン穴２００の後端から第一閂止め縫い部２０３の前縁までの距離となる「第一すきま」、ボタン穴２００の前端から第二閂止め縫い部２０５の後縁までの距離となる「第二すきま」、及び、第一閂止め縫い部２０３及び第二閂止め縫い部２０５の前後方向の長さとなる「閂止め長さ」等がある。
【００５６】
各設定項目に付される項目Ｎｏ．は、「布切り長さ」に対して「０１」、「メス溝幅・左」に対して「０２」、「メス溝幅・右」に対して「０３」、「かがり幅」に対して「０４」、「平行部ピッチ」に対して「０５」、「閂止め幅左補正」に対して「０６」、「閂止め幅右補正」に対して「０７」、「第一すきま」に対して「０８」、「第二すきま」に対して「０９」、「閂止め長さ」に対して「１０」となっている。なお、図３において括弧書きは、項目Ｎｏ．を表している。
【００５７】
ＣＰＵ１１１は、ＲＯＭ１１２に格納された制御プログラム１３０に従って設定処理を行うことで、タッチパネル１００からデータを入力できる。また、ＣＰＵ１１１は、制御プログラム１３０に従って演算処理を行うことで、タッチパネル１００からのデータ及びＲＯＭ１１２に格納された縫製用データベース１３２等に基づいて縫製パターンデータを演算できる。更に、ＣＰＵ１１１は、制御プログラム１３０に従って縫製処理を行うことで、縫製パターンデータ及び各種センサからの検出信号に基づいて、各ドライバを介して各駆動部の制御を行える。
【００５８】
以上のように構成されるボタン穴かがり縫いミシン１の動作、及び制御プログラム１３０に従ったＣＰＵ１１１による制御装置１１０の処理の流れについて説明する。
【００５９】
図５に示すように、まず、制御装置１１０は、設定処理を行う（ステップＳ１）。設定処理では、制御装置１１０の処理は以下のように流れる。
【００６０】
即ち、制御装置１１０は、パターンＮｏ．のデフォルトの値、又は前回設定されたパターンＮｏ．の値を予め記憶しており、その値に対応する縫製データを縫製用データベース１３２から検索する。
次に、制御装置１１０は、パターンＮｏ．の値をＬＣＤ１２９に表示させるとともに、パターンＮｏ．の値に対応する縫製データに含まれる各設定項目の設定値をＬＣＤ１２９に表示させる。
ここで、作業者等がタッチパネル１００を操作してパターンＮｏ．の値を変更（或いは補正）する旨の入力を行った場合には、制御装置１１０は、変更されたパターンＮｏ．の値に対応する縫製データを縫製用データベース１３２から検索し、検索された縫製データに含まれる各設定項目の設定値をＬＣＤ１２９に表示させる。
一方、作業者等がタッチパネル１００を操作して各設定項目の設定値を変更（或いは補正）する旨の入力を行った場合には、制御装置１１０は、変更された設定値をＬＣＤ１２９に表示させる。
そして、作業者等が設定終了の旨をタッチパネル１００を介して入力すると、制御装置１１０は設定処理を終了する。
【００６１】
設定処理後、制御装置１１０は、演算処理を行う（ステップＳ２）。即ち、演算処理では、制御装置１１０は、設定処理において入力されたパターンＮｏ．の値（或いはデフォルトのパターンＮｏ．の値）に基づいて、更には入力された各設定値に基づいて、縫製パターンデータを演算し、縫製パターンデータをＲＡＭ１１３に格納する。
【００６２】
演算処理後、制御装置１１０は、縫製処理を行う（ステップＳ３）。
つまり、まず、制御装置１１０は、押えスイッチ１２４が操作されて押されたか否かを判断し、押えスイッチ１２４が押された場合には押え上げソレノイド１２７を制御して、布押え１５を下降させる。これにより、布送り板１４に載置された布が布押え１５に挟まれる。次に、制御装置１１０は、スタートスイッチ１２５が操作されて押されたか否かを判断する。そして、スタートスイッチ１２５が押された場合に、制御装置１１０は、縫製パターンデータに基づきミシンモータ５、Ｙ送りパルスモータ２０、基線送りパルスモータ４０及び針振り送りパルスモータ４１を制御することで、ミシン針９を上下動させるとともに釜装置を回転させつつ、布押え１５及び布送り板１４を移動させたりミシン針９を左右に振る。これにより、左側縫い部２０２、第一閂止め縫い部２０３、右側縫い部２０４そして第二閂止め縫い部２０５の順に、穴かがり縫い目２０１が布に形成される。
【００６３】
次に、制御装置１１０が、布切りメスシリンダ１９を作動させることで、布切りメス１６を下降させる。布にボタン穴２００が形成されたら、布切りメスシリンダ１９によって布切りメス１６が上昇する。次に、制御装置１１０は、上糸切断アクチュエータ７６を作動させることで上糸切断装置８０に上糸を切断させるとともに、下糸切断アクチュエータ６６を作動させることで下糸切断装置に下糸を切断させる。
以上により、一つのボタン穴の形成に係る一連の動作が終了する。
【００６４】
さて、ボタン穴かがり縫いミシン１では、設定処理（ステップＳ１）において各設定項目の設定値を変更して入力することができるが、変更入力した設定値が誤っていた場合に、誤っている旨がＬＣＤ１２９に表示されるようになっている。つまり、誤っている旨がＬＣＤ１２９に表示されるように、ＲＯＭ１１２に格納された制御プログラム１３０には、設定処理を実行するための設定プログラム１３１が含まれている。ＣＰＵ１１１は、タッチパネル１００を介してデータを入力する処理、入力されたデータが正しいか否かを判断する処理、入力されたデータが正しくない場合には正しくない旨をＬＣＤ１２９に表示させる処理等を設定プログラム１３１に従って行えるようになっている。
【００６５】
設定処理における制御装置１１０の処理の流れを図６を参照して説明する。上述したように、制御装置１１０は、パターンＮｏ．の値に応じた縫製データを縫製用データベース１３２から検索し、検索された縫製データに含まれる各設定項目の設定値をＬＣＤ１２９に表示させる。また、制御装置１１０は、検索された縫製データに含まれる各設定項目の設定値をＲＡＭ１１３に一時格納する。このとき、制御装置１１０は設定画面をＬＣＤ１２９に表示させる（ステップＳ１１）が、その設定画面内に各設定項目の設定値が配置されている。設定画面としては、図７又は図８の画面である。
【００６６】
図７の設定画面は、画面の左上部に表示されるナンバー表示部３００と、画面の中央部に表示される縫い目表示部３０１と、画面の右部に表示される第一設定値ボタン３０２と、縫い目表示部３０１の下方に表示される第二設定値ボタン３０３と、画面の左部に表示される押え種類表示部３０４と、押え種類表示部３０４の下方に表示される画面切替ボタン３０５と、画面切替ボタン３０５の下方に表示される項目表示部３０７と、項目表示部３０７の下方に表示される準備ボタン３０６とを基本構成としている。
【００６７】
ナンバー表示部３００には、パターンＮｏ．の値が表示される。この例では、作業者が「１０」とタッチパネル１００を介して入力したため、ナンバー表示部３００に「１０」が表示されている。縫い目表示部３０１には、穴かがり縫い目の概略的な形状が模式図として表示されており、この模式図に寸法線が付されている。
【００６８】
第一設定値ボタン３０２及び第二設定値ボタン３０３には、各設定項目のうちの一の設定項目の設定値が表示されている。第一設定値ボタン３０２及び第二設定値ボタン３０３から縫い目表示部３０１に向かって引出線が表示されており、これにより、第一設定値ボタン３０２或いは第二設定値ボタン３０３の数値が各設定項目のいずれかであること表している。この例では、第一設定値ボタン３０２の数値は「布切り長さ」の設定値であることを引出線及び寸法線によって意味しており、第二設定値ボタン３０３の数値は「かがり幅」の設定値であることを引出線及び寸法線によって意味している。
【００６９】
押え種類表示部３０４には、ボタン穴かがり縫いミシン１に装着される布押え１５の種類が数値で表されている。画面切替ボタン３０５は、表示画面を切り替えるためのものである。項目表示部３０７には、各設定項目に対応した項目ボタン（若しくは項目アイコン）が表示される。項目表示部３０７に表示される項目ボタンは、後述する図８の項目ボタン３０８−１〜項目ボタン３０８−９と同様である。準備ボタン３０６は、各設定項目の変更或いは入力の終了が終了した旨を入力するためのものである。
【００７０】
図７の画面をＬＣＤ１２９に表示させた制御装置１１０は、待機状態となる。この待機状態では、制御装置１１０は、画面切替ボタン３０５の表示箇所においてタッチパネル１００が接触されたか否かを判断している。そして、作業者等が画面切替ボタン３０５の表示箇所においてタッチパネル１００を接触した場合に、制御装置１１０は図８の画面をＬＣＤ１２９に表示させる。
【００７１】
図８の画面では、ナンバー表示部３００、準備ボタン３０６及び複数の項目ボタン（即ち、項目ボタン３０８−１〜項目ボタン３０８−９）が表示されている。項目ボタン３０８−１〜項目ボタン３０８−９はそれぞれ、該当する設定項目に対応している。また、各項目ボタン３０８−１〜項目ボタン３０８−９内には、該当する設定項目に対応した「項目Ｎｏ．」の番号３０９が表示されている。更に、該当する設定項目がどこの長さかを示すために縫い目の該当箇所の部分図と、該当箇所を示す矢印とからなる画像３１０が、各項目ボタン３０８−１〜項目ボタン３０８−９内に表示されている。更に、各設定項目ボタン３０８−１〜項目ボタン３０８−９内には、該当する設定項目の設定値を表す数値３１１が表示されている。つまり、項目ボタン３０８−１は「布切り長さ」の項目を示すものであり、項目ボタン３０８−２〜項目ボタン３０８−９については、項目ボタン３０８−２が「メス溝幅・左」を、項目ボタン３０８−３が「メス溝幅・右」を、項目ボタン３０８−４が「かがり幅」を、項目ボタン３０８−５が「平行部ピッチ」を、項目ボタン３０８−６が「閂止め左補正」を、項目ボタン３０８−７が「閂止め右補正」を、項目ボタン３０８−８が「第一すきま」を、項目ボタン３０８−９が「第二すきま」を示すものである。なお、図８には示されていないが、画面がスクロールされると、「閂止め長さ」の項目ボタンも表示されるようになっている。
【００７２】
図８の画面をＬＣＤ１２９に表示させた制御装置１１０は、待機状態となる。この待機状態では、制御装置１１０は、各項目ボタン３０８−１〜項目ボタン３０８−９の表示箇所においてタッチパネル１００が接触されたか否かを判断している（ステップＳ１２）。そして、作業者等が各項目ボタン３０８−１〜項目ボタン３０８−９の表示箇所においてタッチパネル１００を接触した場合に（ステップＳ１２：Ｙｅｓ）、制御装置１１０は図９の画面のように、図８の画面上に入力ウィンドウ３１２をＬＣＤ１２９に表示させる（ステップＳ１３）。
【００７３】
入力ウィンドウ３１２は、各設定項目の設定値を変更して入力するためのウィンドウである。入力ウィンドウ３１２内には、この入力ウィンドウ３１２で入力されて変更される設定項目を示す項目表示部３１３と、「０」〜「９」、「＋」、「−」の入力キー３１４，３１４，…と、入力された設定値が表示される設定値表示部３１５と、入力された設定値を確定するための確定ボタン３１６とが表示される。
【００７４】
項目表示部３１３には、各項目ボタン３０８−１〜３０８−９と同様な画像３１０が表示される。つまり、図８の画面において項目ボタン３０８−４が選択されて接触された場合には、図９の画面では項目ボタン３０８−４内の画像３１０と同じ画像が項目表示部３１３に表示される。これにより、入力ウィンドウ３１２で入力可能な項目が「かがり幅」であることを示している。図８の画面において他の項目ボタンが選択された場合も同様であり、当該項目ボタンの画像がそれぞれ、項目表示部３１３内に表示され、入力可能な設定項目が定まる。なお、図９〜図１５に示される各項目ボタン内には、図８の項目ボタン３０８−１〜項目ボタン３０８−９と同様に番号３０９、画像３１０及び数値３１１が表示されるが、それらの符号については省略する。
【００７５】
設定値表示部３１５には、作業者等によって接触された入力キー３１４，３１４，…の数値等が表示される。つまり、作業者等が入力キー３１４，３１４，…を接触することで、制御装置１１０は、タッチパネル１００からの信号に従って、その設定値が設定値表示部３１５内に表示されるようにＬＣＤ１２９を制御する。
【００７６】
図９のような画面を表示させた制御装置１１０は、確定ボタン３１６の表示箇所においてタッチパネル１００が接触されたか否かを判断している（ステップＳ１４）。そして、作業者等が確定ボタン３１６の表示箇所においてタッチパネル１００を接触した場合に（ステップＳ１４：Ｙｅｓ）、制御装置１１０は入力キー３１４，３１４，…において入力された設定値をＲＡＭ１１３に格納する（ステップＳ１５）。これにより、該当する設定項目の設定値が確定する。また、この際に、制御装置１１０は、再び図８の画面をＬＣＤ１２９に表示させるが、各設定項目ボタン３０８−１〜３０８−９内の数値３１１は、入力ウィンドウ３１２で入力された設定値に変更される。
【００７７】
以上のように、作業者等はＬＣＤ１２９に表示される画面（図８、図９）を見ながら、各設定項目の設定値を変更して入力することができる。なお、図７の画面で作業者等が第一設定値ボタン３０２の表示箇所、第二設定値ボタン３０３の表示箇所又は項目表示部３０７の項目ボタンの表示箇所でタッチパネル１００を接触した場合に、図７の画面上に入力ウィンドウ３１２が表示されて、「布切り長さ」又は「かがり幅」等の各設定項目の設定値を入力できるようにしても良い。つまり、図７の画面を表示した制御装置１１０は、第一設定値ボタン３０２の表示箇所、第二設定値ボタン３０３の表示箇所又は項目表示部３０７の項目ボタンの表示箇所においてタッチパネル１００が接触されたか否かを判断している（ステップＳ１２）。そして、作業者等が第一設定値ボタン３０２の表示箇所、第二設定値ボタン３０３の表示箇所又は項目表示部３０７の項目ボタンの表示箇所でタッチパネル１００を接触した場合に（ステップＳ１２：Ｙｅｓ）、制御装置１１０は図７の画面上に入力ウィンドウ３１２がポップアップして表示されるようにＬＣＤ１２９を制御する（ステップＳ１３）。
【００７８】
さて、図７又は図８の画面を表示させた制御装置１１０は、上述したように待機状態となるが、更に、制御装置１１０は、準備ボタン３０６の表示箇所においてタッチパネル１００が接触されたか否かを判断している（ステップＳ１６）。そして、作業者等が準備ボタン３０６の表示箇所においてタッチパネル１００を接触した場合に（ステップＳ１６：Ｙｅｓ）、制御装置１１０はＲＡＭ１１３に格納された各設定項目の設定値に誤りがあるか否かを判別する（ステップＳ１７）。
【００７９】
つまり、制御装置１１０は、各設定項目の設定値が縫製用データベース１３２の「設定範囲」内であるか否かを判断したり、或いは、各設定項目のうち関連する設定項目の設定値を判別式に代入して、判別式によって瑕疵があるか否かを判断したりする。判別式としては、例えば、以下のようなものがある。
（メス溝幅・左）＋（メス溝幅・右）＋（かがり幅）×２＞ａ  …▲１▼
（布切り長さ）＋（第一すきま）＋（第二すきま）＋（閂止め長さ）×２＞ｂ…▲２▼
判別式▲１▼では、「メス溝幅・左」、「メス溝幅・右」、「かがり幅」のそれぞれが互いに関連している。判別式▲２▼では、「布切り長さ」、「第一すきま」、「第二すきま」、「閂止め長さ」のそれぞれが互いに関連している。
ここで、ａ、ｂは定数であり、主に布押え１５の種類によって定まるものである。つまり、図７の画面で、作業者等が押え種類表示部３０４の表示箇所でタッチパネル１００を接触すれば、制御装置１１０は布押え１５の種類に応じて定数ａ、ｂを変更する。なお、以下では、ａ＝８〔ｍｍ〕、ｂ＝３０〔ｍｍ〕として説明する。
【００８０】
そして、各設定値のうちの一つでも「設定範囲」内でない場合には、制御装置１１０は、誤りがあると判断して（ステップＳ１７：Ｙｅｓ）、ステップＳ１８に移行する。また、上記判別式を満たした場合には、制御装置１１０は、誤りがあると判断して（ステップＳ１７：Ｙｅｓ）、ステップＳ１８に移行する。一方、各設定値が「設定範囲」内であり、かつ、上記判別式を満たしていない場合には、制御装置１１０は、誤りがないと判断して（ステップＳ１７：Ｎｏ）、設定処理が終了して、演算処理（ステップＳ２）に移行する。
【００８１】
ステップＳ１８では、制御装置１１０は、各設定項目の設定値に誤りがあることを作業者等に知らしめるためのエラー処理（即ち、告知処理又は限定処理）を行う。つまり、制御装置１１０は、誤りのある設定項目がどれであるかをＬＣＤ１２９に表示させる。例えば、「布切り長さ」の設定値が「設定範囲（６．０〜３８．０〔ｍｍ〕）」内でなければ、「布切り長さ」の設定値に誤りがある旨を制御装置１１０がＬＣＤ１２９に表示させたり、判別式▲１▼を満たしたら、「メス溝幅・左」、「メス溝幅・右」及び「かがり幅」の設定値に誤りがある旨を制御装置１１０がＬＣＤ１２９に表示させたりする。以下、ステップＳ１８においてＬＣＤ１２９に表示される表示画面について、判別式▲１▼を満たした場合の具体例を挙げて説明する。
【００８２】
図１０の画面は、エラー処理において制御装置１１０がＬＣＤ１２９に表示させる画面である。図１０の画面では、図８の画面上にエラーウィンドウ３１７がポップアップして表示されている。エラーウィンドウ３１７の略中央部には、誤りのある設定項目の項目Ｎｏ．が表示されている。この例では、エラーウィンドウ３１７に表示される項目Ｎｏ．の数値が「０２」、「０３」、「０４」となっているので、「メス溝幅・左」、「メス溝幅・右」及び「かがり幅」の設定値に誤りがあることが作業者等にとって把握される。エラーウィンドウ３１７の上部には、誤りがある旨を表すとともに誤りの種類を示す「Ｅ−０５」が表示されている。エラーウィンドウ３１７の右下部には、リターンボタン３１８が表示されている。図１０の画面を表示させた制御装置１１０は待機状態となり、リターンボタン３１８の表示箇所においてタッチパネル１００が接触されたか否かを判断している。そして、作業者等がリターンボタン３１８の表示箇所においてタッチパネル１００を接触した場合に、制御装置１１０は再び図７又は図８の画面をＬＣＤ１２９に表示させる（繰り返されたステップＳ１１）。これにより、作業者等は、「メス溝幅・左」、「メス溝幅・右」及び「かがり幅」の設定値を変更して入力し直すことができる。なお、図７の画面上にエラーウィンドウ３１７が表示されても良い。
【００８３】
また、エラー処理において、図１０の画面に代えて図１１の画面を制御装置１１０がＬＣＤ１２９に表示させても良い。図１１の画面では、図８の画面上にエラーウィンドウ３１９がポップアップして表示されている。エラーウィンドウ３１９内には、図１０のエラーウィンドウ３１９と同様に項目Ｎｏ．、「Ｅ−０５」及びリターンボタン３１８が表示されている。更に、エラーウィンドウ３１９内には、誤りのある設定項目に係る画像３１０，３１０，３１０が表示されている。この例では、図８の項目ボタン３０８−２〜項目ボタン３０８−４内に表示される画像３１０，３１０，３１０と同様の画像がエラーウィンドウ３１９内に表示されている。つまり、左の画像３１０は「メス溝幅・左」に係る画像であり、中央の画像３１０は「メス溝幅・右」に係る画像であり、右の画像３１０は「かがり幅」に係る画像である。画像３１０，３１０，３１０がエラーウィンドウ３１９内に表示されることによって、「メス溝幅・左」、「メス溝幅・右」及び「かがり幅」に関係した誤りがあることが作業者等にとって把握される。なお、図１１の画面において作業者等がリターンボタン３１８の表示箇所においてタッチパネル１００を接触した場合に、図７又は図８の画面がＬＣＤ１２９に表示される（繰り返されたステップＳ１１）。
【００８４】
また、エラー処理において、図１０の画面に代えて図１２の画面を制御装置１１０がＬＣＤ１２９に表示させても良い。図１２の画面では、図８の画面上にエラーウィンドウ３２０がポップアップして表示されている。エラーウィンドウ３２０内には、図１１のエラーウィンドウ３１９と同様に項目Ｎｏ．、「Ｅ−０５」、誤りのある設定項目に係る画像３１０，３１０，３１０及びリターンボタン３１８が表示されている。更に、エラーウィンドウ３２０内には、誤りの内容が表示されている。具体的には、左の画像３１０と中央の画像３１０の間に記号「＋」が表示され、中央の画像３１０と右の画像３１０の間に記号「＋」が表示され、右の画像３１０の右方には記号「×２＞８」が表示される。このように誤りの内容が式で表されており、これにより、「（「メス溝幅・左」の設定値）＋（「メス溝幅・右」の設定値）＋（「かがり幅」の設定値）×２＞８」となっていることが作業者等にとって把握される。つまり、「メス溝幅・左」、「メス溝幅・右」及び「かがり幅」の設定値が判別式▲１▼を満たした結果誤りがあるという旨がＬＣＤ１２９に表示され、その旨が作業者等に把握される。なお、図１２の画面において作業者等がリターンボタン３１８の表示箇所においてタッチパネル１００を接触した場合に、図７又は図８の画面がＬＣＤ１２９に表示される（繰り返されたステップＳ１１）。
【００８５】
また、エラー処理において、図１０の画面に代えて図１３の画面を制御装置１１０がＬＣＤ１２９に表示させても良い。図１３の画面では、図８の画面とほぼ同様にナンバー表示部３００、準備ボタン３０６及び複数の項目ボタン（即ち、項目ボタン３０８−１〜項目ボタン３０８−９）が表示されている。但し、図８の画面と異なるところとしては、誤りのある設定項目に係る項目ボタン３０８−２〜項目ボタン３０８−４内の背景のハッチング、彩色の塗りつぶし又は模様付け等（以下、塗りつぶし等と述べる。）が項目ボタン３０８−１及び項目ボタン３０８−５〜項目ボタン３０８−９内の背景の塗りつぶし等と異なっていることである。つまり、図８の画面では、項目ボタン３０８−１〜項目ボタン３０８−９内の背景色が全て白色であったの対し、図１３の画面では、項目ボタン３０８−２〜項目ボタン３０８−４内の背景色が灰色であり、項目ボタン３０８−１及び項目ボタン３０８−５〜項目ボタン３０８−９内の背景色が白色となっている。つまり、誤りのある設定項目に係る３０８−２〜項目ボタン３０８−４内の背景の塗りつぶし等が変更されている。これによって、「メス溝幅・左」、「メス溝幅・右」及び「かがり幅」の設定値に誤りがあることが作業者等にとって把握される。なお、背景色は、白色、灰色に限らず、正常時とエラー時が区別できればどのような色でも良い。
【００８６】
図１３の画面は、設定値に誤りがある場合に図８の画面の代わりに表示されるものであり、図１３の画面をＬＣＤ１２９に表示させた制御装置１１０は、待機状態となる（繰り返されたステップＳ１１）。そして、各項目ボタン３０８−１〜項目ボタン３０８−９の表示箇所においてタッチパネル１００が作業者等によって接触された場合（ステップＳ１２：Ｙｅｓ）、制御装置１１０は、図９の場合とほぼ同様に、図１３の画面上に入力ウィンドウ３１２をＬＣＤ１２９に表示させる（ステップＳ１３）。これにより、作業者等は、「メス溝幅・左」、「メス溝幅・右」及び「かがり幅」の設定値を変更して入力し直すことができる。
【００８７】
また、エラー処理において、図１０の画面に代えて図１４の画面を制御装置１１０がＬＣＤ１２９に表示させても良い。図１４の画面では、ナンバー表示部３００及び準備ボタン３０６が表示されている。更に、図１４の画面に表示される項目ボタンとしては、誤りのある設定項目に係る項目ボタン３０８−２〜項目ボタン３０８−４のみが表示されている。これによって、「メス溝幅・左」、「メス溝幅・右」及び「かがり幅」の設定値に誤りがあることが作業者等にとって把握される。図１４の画面は、設定値に誤りがある場合に図８の画面の代わりに表示されるものであり、図１４の画面をＬＣＤ１２９に表示させた制御装置１１０は、待機状態となる（繰り返されたステップＳ１１）。そして、各項目ボタン３０８−２〜項目ボタン３０８−４の表示箇所においてタッチパネル１００が作業者等によって接触された場合に（ステップＳ１２：Ｙｅｓ）、制御装置１１０は、図９の場合とほぼ同様に、図１４の画面上に入力ウィンドウ３１２をＬＣＤ１２９に表示させる（ステップＳ１３）。つまり、制御装置１１０は、タッチパネル１００から入力する設定値を「メス溝幅・左」、「メス溝幅・右」及び「かがり幅」に限定している。これにより、作業者等は、「メス溝幅・左」、「メス溝幅・右」及び「かがり幅」のみの設定値を変更して入力し直すことができる。
【００８８】
また、エラー処理において、図１０の画面に代えて図１５の画面を制御装置１１０がＬＣＤ１２９に表示させても良い。図１５の画面では、図８の画面とほぼ同様にナンバー表示部３００、準備ボタン３０６及び複数の項目ボタン（即ち、項目ボタン３０８−１〜項目ボタン３０８−９）が表示されている。但し、図８の画面と異なるところとしては、誤りのある設定項目に係る項目ボタン３０８−２〜項目ボタン３０８−４内の背景の塗りつぶし等が、項目ボタン３０８−１及び項目ボタン３０８−５〜項目ボタン３０８−９の背景の塗りつぶし等と異なっていることである。つまり、図８の画面では、項目ボタン３０８−１〜項目ボタン３０８−９内の背景色が全て白色であったの対し、図１５の画面では、項目ボタン３０８−２〜項目ボタン３０８−４内の背景色が白色であり、項目ボタン３０８−１及び項目ボタン３０８−５〜項目ボタン３０８−９内の背景色が灰色となっている。これによって、「メス溝幅・左」、「メス溝幅・右」及び「かがり幅」の設定値に誤りがあることが作業者等にとって把握される。
【００８９】
図１５の画面は、設定値に誤りがある場合に図８の画面の代わりに表示されるものであり、図１５の画面をＬＣＤ１２９に表示させた制御装置１１０は、待機状態となる（繰り返されたステップＳ１１）。そして、制御装置１１０は、各項目ボタン３０８−２〜項目ボタン３０８−４の表示箇所においてタッチパネル１００が接触されたか否かを判断している（ステップＳ１２）が、項目ボタン３０８−１及び項目ボタン３０８−５〜項目ボタン３０８−９の表示箇所においてタッチパネル１００が接触されたか否かは判断していない。作業者等が各項目ボタン３０８−２〜項目ボタン３０８−４の表示箇所においてタッチパネル１００を接触した場合に（ステップＳ１２：Ｙｅｓ）、制御装置１１０は、図９の場合とほぼ同様に、図１５の画面上に入力ウィンドウ３１２をＬＣＤ１２９に表示させる（ステップＳ１３）。但し、作業者等が項目ボタン３０８−１及び項目ボタン３０８−５〜項目ボタン３０８−９の表示箇所においてタッチパネル１００を接触した場合でも、入力ウィンドウ３１２は表示されない。つまり、制御装置１１０は、タッチパネル１００から入力する設定値を「メス溝幅・左」、「メス溝幅・右」及び「かがり幅」に限定している。これにより、作業者等は、「メス溝幅・左」、「メス溝幅・右」及び「かがり幅」のみの設定値を変更して入力し直すことができる。
【００９０】
また、エラー処理において、図１０の画面に代えて図１６の画面を制御装置１１０がＬＣＤ１２９に表示させても良い。図１６の画面には、ナンバー表示部３００と、縫い目表示部３０１と、第一設定値ボタン３０２と、第二設定値ボタン３０３と、押え種類表示部３０４と、画面切替ボタン３０５と、項目表示部３０７と、準備ボタン３０６とが、図７の画面とほぼ同様に表示されている。但し、図７の画面と異なるところとしては、第二設定値ボタン３０３の表示の態様である。つまり、図７の画面では、第二設定値ボタン３０３内の背景色が第一設定値ボタン３０２内の背景色と同一の彩色であるが、図１６の画面では、第二設定値ボタン３０３内の背景色が第一設定値ボタン３０２の背景色と異なっている。更に、図７の画面の第一設定値ボタン３０２並びに第二設定値ボタン３０３及び図１６の画面の第一設定値ボタン３０２は、全て背景色が同じである。このように、誤りのある設定項目に係る第二設定値ボタン３０３内の背景色が変更されている。これによって、「かがり幅」の設定値に誤りがあることが作業者等にとって把握される。
【００９１】
図１６の画面は、設定値に誤りがある場合に図７の画面の代わりに表示されるものであり、図１６の画面をＬＣＤ１２９に表示させた制御装置１１０は、待機状態となる（繰り返されたステップＳ１１）。そして、第二設定値ボタン３０３の表示箇所においてタッチパネル１００が作業者等によって接触された場合に（ステップＳ１２）、制御装置１１０は、図９の入力ウィンドウ３１２を図１６の画面上に表示するようにＬＣＤ１２９を制御する。これにより、作業者等は、「かがり幅」の設定値を変更して入力し直すことができる。
【００９２】
以上では、図１０、図１１又は図１２の画面で、リターンボタン３１８の表示箇所においてタッチパネル１００が作業者等によって接触された場合に、図７又は図８の画面が表示されると説明した。しかしながら、リターンボタン３１８の表示箇所においてタッチパネル１００が接触された場合に、図１３、図１４、図１５又は図１６の画面がＬＣＤ１２９に表示されても良い。
【００９３】
〔第一の実施の形態の変形例〕
次に、第一の実施の形態の変形例について説明する。なお、この変形例では、設定プログラム１３１に従った制御装置１１０による設定処理（ステップＳ１）の流れ、及びエラー処理（ステップＳ１８）でＬＣＤ１２９に表示される画面が、上記実施の形態と異なる。
【００９４】
変形例における処理の流れは、図１７のようになる。なお、図１７については、図６と同様のステップに同様の符号を付して詳細な説明を省略し、異なる内容を主に説明する。
【００９５】
図１７に示すように、制御装置１１０は、図７又は図８の画面をＬＣＤ１２９に表示させる。そして、図７の画面にあっては第一設定値ボタン３０２の表示箇所、第二設定値ボタン３０３の表示箇所又は項目表示部３０７の項目ボタンの表示箇所においてタッチパネル１００が作業者等によって接触された場合に（ステップＳ１２：Ｙｅｓ）、図８の画面にあっては項目ボタン３０８−１〜項目ボタン３０８−９の表示箇所においてタッチパネル１００が作業者等によって接触された場合に（ステップＳ１２：Ｙｅｓ）、画面上に入力ウィンドウ３１２（図９の場合と同様）をＬＣＤ１２９に表示させる（ステップＳ１３）。作業者等は、入力ウィンドウ３１２内の入力キー３１４，３１４，…の表示箇所を接触することで、図７又は図８の画面において選択された設定項目の設定値を入力することができる。なお、第一設定値ボタン３０２又は第二設定値ボタン３０３の表示箇所においてタッチパネル１００が接触されなかった場合（ステップＳ１２：Ｎｏ）、項目ボタン３０８−１〜項目ボタン３０８−９の表示箇所においてタッチパネル１００が接触されなかった場合に（ステップＳ１２：Ｎｏ）、制御装置１１０の処理はステップＳ１６に移行する。
【００９６】
図９の画面では、制御装置１１０は、確定ボタン３１６の表示箇所においてタッチパネル１００が接触されたか否かを判断している（ステップＳ１４）。そして、作業者等が確定ボタン３１６の表示箇所においてタッチパネル１００を接触した場合に（ステップＳ１４：Ｙｅｓ）、制御装置１１０は入力キー３１４，３１４，…において入力された設定値をＲＡＭ１１３に格納する（ステップＳ１５）。これにより、該当する設定項目の設定値が確定する。
【００９７】
次いで、制御装置１１０はＲＡＭ１１３に格納された各設定項目の設定値に誤りがあるか否かを判別する（ステップＳ１７）。つまり、この変形例では、各設定値に誤りがあるか否かの判断は、入力ウィンドウ３１２内に確定ボタン３１６の表示箇所が接触された時点で行われている。言い換えれば、作業者等が各設定項目の設定値を変更して入力した時点で、各設定値の誤りの判断が行われている。
【００９８】
制御装置１１０が誤りと判断した場合（ステップＳ１７：Ｙｅｓ）、制御装置１１０の処理はステップＳ１８に移行し、誤りがないと判断した場合、制御装置１１０の処理はステップＳ１９に移行する。
【００９９】
ステップＳ１９では、制御装置１１０は、図７の画面又は図８の画面をＬＣＤ１２９に表示させる。次いで、制御装置１１０は、準備ボタン３０６の表示箇所においてタッチパネル１００が接触されたか否かを判断している（ステップＳ１６）。作業者等が準備ボタン３０６の表示箇所においてタッチパネル１００を接触した場合に（ステップＳ１６：Ｙｅｓ）、設定処理は終了し、制御装置１１０の処理はステップＳ２に移行する。一方、準備ボタン３０６の表示箇所においてタッチパネル１００が接触されなかった場合、制御装置１１０の処理はステップＳ１２に移行する。
【０１００】
ステップＳ１８では、制御装置１１０は、各設定項目の設定値に誤りがあることを作業者等に知らしめるためのエラー処理を行う。具体的には、制御装置１１０は、図１８（ａ）又は（ｂ）の画面をＬＣＤ１２９に表示させる。つまり、図９の入力ウィンドウ３１２で設定値を変更して入力し、それを確定した時点でその設定値に誤りがある場合に、入力ウィンドウ３１２の表示態様が制御装置１１０の処理によって変更されて、入力ウィンドウ３１２は図１８（ａ）又は図（ｂ）のようになる。
【０１０１】
図１８（ａ）の入力ウィンドウ３１２は、そのウィンドウ内の背景色及び項目表示部３１３内の背景色が図９の場合とは異なっている。図１８（ｂ）の入力ウィンドウ３１２は、設定値表示部３１５内の背景色が図９の場合と異なっている。このように、作業者等が選択した設定項目の設定値を変更している際に、入力ウィンドウ３１２の表示態様が変更されるため、該当する設定項目の設定値に誤りがあることが作業者等にとって把握される。
図１８（ａ）又は（ｂ）の入力ウィンドウ３１２においても、作業者等は入力キー３１４，３１４，…の表示箇所を接触することで、該当する設定項目の設定値を変更して入力することができる。そして、ステップＳ１８後、制御装置１１０の処理はステップＳ１４に移行する。
【０１０２】
〔第二の実施の形態〕
次に、第二の実施の形態のボタン穴かがり縫いミシンについて説明する。
第二の実施の形態のボタン穴かがり縫いミシンは、タッチパネル１００、表示制御回路１２８及びＬＣＤ１２９（図２に図示）に代えて、図１９に示す操作パネル１５１を備えている。その他の構成については、第一の実施の形態のボタン穴かがり縫いミシン１と同様である。
【０１０３】
操作パネル１５１について説明する。操作パネル１５１はＣＰＵ１１１に接続されている。操作パネル１５１は、作業者等に操作されたことを検知して、その旨をＣＰＵ１１１に出力するものである。これにより、作業者等は、設定処理（図５のステップＳ１）において操作パネル１５１を操作することで、各設定項目の設定値を変更して入力することができる。
【０１０４】
操作パネル１５１には、準備キー１５２と、項目操作部１５３と、設定値操作部１５４と、エラー告知部１５５と、モード切換操作部１５６と、項目切替操作部１５７とが設けられている。
【０１０５】
準備キー１５２は、各設定値の変更或いは入力の終了が終了した旨を入力するためのものである。エラー告知部１５５には、設定値に誤りがある旨を示唆する「Ｅ」マークが描画されている。更に、エラー告知部１５５には、ＬＥＤ等の点灯部１６４が設けられている。エラー告知部１５５のすぐ下側には、「エラー」という文字が記されている。
【０１０６】
項目操作部１５３には、項目番号表示部１５８と、マイナスキー１５９と、プラスキー１６０とが設けられている。項目番号表示部１５８は、二桁の七セグメント表示器からなり、項目Ｎｏ．或いはパラメータＮｏ．の番号を表示するものである。マイナスキー１５９及びプラスキー１６０は、項目番号表示部１５８に表示される番号を一つずつ変更するためのキーである。マイナスキー１５９が操作されると、項目番号表示部１５８に表示される番号は一つ繰り下がり、プラスキー１６０が操作されると、項目番号表示部１５８に表示される番号は一つ繰り上がる。
【０１０７】
設定値操作部１５４には、設定値表示部１６１と、マイナスキー１６２と、プラスキー１６３とが設けられている。設定値表示部１６１は、四桁の七セグメント表示器からなり、設定値を表示するものである。マイナスキー１６２及びプラスキー１６３は、設定値表示部１６１に表示される設定値を増減するためのキーである。マイナスキー１６２が操作されると設定値表示部１６１に表示される値は減少し、プラスキー１６３が操作されると設定値表示部１６１に表示される値は増加する。
【０１０８】
モード切替操作部１５６には、パターン設定モードキー１６５と、設定値入力モードキー１６６とが設けられている。パターン設定モードキー１６５は、パターンＮｏ．の値を設定するパターン設定モードに切り替えるものである。一方、設定値入力モードキー１６６は、設定値を入力する設定値入力モードに切り替えるものである。
【０１０９】
項目切替部１５７は、設定値の入力可能な項目を一回の操作で切り替えるためのものである。項目切替部１５７の中央部には、穴かがり縫い目の全体的な模式図１６７が描画されている。模式図１６７の周囲には、かがり幅キー１６８、閂止め幅左キー１７０、閂止め幅右キー１７２、すきまキー１７４、布切り長さキー１７６、メス溝右キー１７８、メス溝左キー１８０及びピッチキー１８２が設けられている。各キーには、どの部分の長さかを示すための図が描画されており、この図は穴かがり縫い目の該当箇所の部分図である。更に、各キーには、部分図に対して矢印が描画されており、該当する箇所が矢印によって示されている。また、各キーの下側には、「かがり幅」、「閂止め幅左」、「閂止め幅右、「すきま」、「布切り長さ」、「メス溝右」、「メス溝左」又は「ピッチ」といった文字が記されており、該当する箇所が文字によって示されている。また、各キーがどの部分の長さなのかを示すべく、引出線が各キーの部分図から模式図１６７を結んで描画されている。
【０１１０】
つまり、設定値の入力可能な項目を、かがり幅キー１６８は「かがり幅」に、閂止め幅左キー１７０は「閂止め幅左補正」に、閂止め幅右キー１７２は「閂止め幅右補正」に、すきまキー１７４は「第一すきま」（若しくは「第二すきま」）に、布切り長さキー１７６は「布切り長さ」に、メス溝右キー１７８は「メス溝幅・右」に、メス溝左キー１８０は「メス溝幅・左」に、ピッチキー１８２は「平行部ピッチ」に切り替えるためのものである。
【０１１１】
かがり幅キー１６８、閂止め幅左キー１７０、閂止め幅右キー１７２、すきまキー１７４、布切り長さキー１７６、メス溝右キー１７８、メス溝左キー１８０及びピッチキー１８２には、それぞれＬＥＤ等の点灯部１６９，１７１，１７３，１７５，１７７，１７９，１８１，１８３が設けられている。設定値入力モードで選択された設定項目が、「かがり幅」、「閂止め幅左補正」、「閂止め幅右補正」、「第一すきま」（若しくは「第二すきま」）、「布切り長さ」、「メス溝幅・右」、「メス溝幅・左」又に「平行部ピッチ」になった場合に、該当するキーの点灯部が点灯し、どの設定項目が選択されているのかを作業者等が把握できるようになっている。
【０１１２】
次に、操作パネル１５１を用いて各設定項目の設定値を変更して入力する方法、制御プログラム１３０に従ったＣＰＵ１１１による制御装置１１０の処理の流れ及び第二の実施形態のボタン穴かがりミシンの動作について説明する。
【０１１３】
まず、制御装置１１０は、設定プログラム１３１に従って、操作パネル１５１からデータの入力の待機状態となる。この際に、作業者等は操作パネル１５１を操作することで、制御装置１１０は種々のデータを入力する。
【０１１４】
パターンＮｏ．を設定するためには、作業者がパターン設定モードキー１６５を操作すると、モードがパターン設定モードに切り替わる。更に、項目番号表示部１５８には数字が表示され、特にデフォルトでは「０１」が表示される。パターン設定モードでは、項目番号表示部１５８に表示される数字がパターンＮｏ．の値である。そして、作業者は、マイナスキー１５９又はプラスキー１６０を操作することで項目番号表示部１５８に表示される数字を変更し、パターンＮｏ．を所望の値に変更する。これにより、パターンＮｏ．が設定される。
【０１１５】
次に、各設定項目を設定するには、まず、作業者等が設定値入力モードキー１６６を操作することによって、モードが設定値入力モードに切り替わる。設定値入力モードでは、項目番号表示部１５８に表示される数字が項目Ｎｏ．の値である。そして、作業者等は設定項目を選択する。設定項目の選択は、項目操作部１５３の操作による方法と、項目切替部１５７の操作による方法とがある。
【０１１６】
項目操作部１５３の操作による方法について説明する。この方法では、作業者等がマイナスキー１５９又はプラスキー１６０を操作することで、項目番号表示部１５８に表示される数字が変更される。そして、設定したい設定項目の項目Ｎｏ．の値が項目番号表示部１５８に表示されれば、選択の完了である。マイナスキー１５９又はプラスキー１６０の操作により設定項目が変更されていく過程において、選択された設定項目が項目切替部１５７の各キーに対応する設定項目になると、該当するキーの点灯部が点灯する。項目番号表示部１５８に表示される数字及び点灯部の点灯／消灯によっても、何の設定項目が選択されているかを作業者等が把握できる。
【０１１７】
項目切替部１５７の操作による方法について説明する。この方法では、項目切替部１５７のキー（かがり幅キー１６８、閂止め幅左キー１７０、閂止め幅右キー１７２、すきまキー１７４、布切り長さキー１７６、メス溝右キー１７８、メス溝左キー１８０及びピッチキー１８２）のうち、選択したい設定項目に対応するキーを作業者等がオン操作するだけで、設定項目の選択が完了する。即ち、選択したい設定項目に対応する一つのキーを作業者等がオン操作することで、選択された設定項目の項目Ｎｏ．の値が項目番号表示部１５８に表示され、更に、該当するキーの点灯部が点灯し、他のキーの点灯部が消灯する。
【０１１８】
設定項目が選択されると、選択された設定項目の予め設定されていた設定値が設定値表示部１６１に表示される。この状態で、作業者等がマイナスキー１６２及びプラスキー１６３を操作することで、設定値表示部１６１に表示される数値が更新されていく。設定値表示部１６１に表示される数値が当該設定項目の設定値として反映されるものであり、設定値表示部１６１に表示される数値が所望の値になったら、設定値の変更入力が完了する。設定値表示部１６１に表示される数値がすぐに設定値として反映され、設定値表示部１６１に表示される数値が変更される都度、その数値が操作パネル１５１からＣＰＵ１１１に入力され、ＣＰＵ１１１はその数値を当該設定項目の設定値としてＲＡＭ１１３に格納する。
【０１１９】
設定値の入力が済んだら、再び設定項目の選択及び設定値の入力を繰り返すことで、各設定項目の設定値を入力することができる。
【０１２０】
以上のように、作業者等は操作パネル１５１を操作することで、「布切り長さ」、「メス溝幅・左」、「メス溝幅・右」、「かがり幅」、「平行部ピッチ」、「閂止め幅右補正」、「閂止め幅左補正」、「第一すきま」、「第二すきま」、「閂止め長さ」の設定値を変更して入力する。次いで、作業者等が準備キー１５２を操作すると、準備キー１５２が操作された旨が操作パネル１５１から制御装置１１０（つまり、ＣＰＵ１１１）へ入力される。これにより、制御装置１１０は、ＲＡＭ１１３に格納された各設定項目の設定値に確定する。なお、作業者等が準備キー１５２を押した直後は、項目切替部１５７の全ての点灯部が点灯又は消灯する。
【０１２１】
次いで、制御装置１１０はＲＡＭ１１３に格納された各設定項目の設定値に誤りがあるか否かを判別する。つまり、制御装置１１０は、上記第一の実施の形態と同様に、各設定項目の設定値が縫製用データベース１３２の「設定範囲」内であるか否かを判断したり、或いは、各設定値を判別式（例えば、上記判別式▲１▼〜▲２▼）に代入して判別式により各設定値に瑕疵があるか否かを判断したりする。
【０１２２】
制御装置１１０は、全ての設定項目の設定値に誤りがないと判別した場合、ＲＡＭ１１３に格納された各設定値に基づいて、縫製パターンデータを演算し、縫製パターンデータをＲＡＭ１１３に格納する。次いで、制御装置１１０は、ＲＯＭ１１２に格納された制御プログラム１３０に従って、縫製パターンデータに基づき縫製処理を行う。これにより、ボタン穴かがり縫いミシンは第一の実施の形態の場合と同様に布に対して縫製を行い、一つのボタン穴の形成及びかがり縫いに係る一連の動作が終了する。
【０１２３】
一方、各設定値のうちの一つでも誤りがある場合には、制御装置１１０は、誤りがあると判断して、エラー処理を行う。つまり、制御装置１１０は、操作パネル１５１に対してエラー信号を出力して、エラー信号に従って操作パネル１５１は以下のように作用する。以下、エラー信号による操作パネル１５１の作用について、判別式▲１▼を満たした場合の具体例を挙げて説明する。
【０１２４】
エラー信号を入力した操作パネル１５１では、エラー告知部１５５の点灯部１６４が点灯又は点滅をする。点灯部１６４が点灯又は点滅をすることで、変更入力した設定値に誤りがある旨を作業者に知らしめることができる。
【０１２５】
更に、項目切替部１５７にあっては、点灯部１６９、点灯部１７９及び点灯部１８１の全てが点灯又は点滅をし、点灯部１７１、点灯部１７３、点灯部１７５、点灯部１７７及び点灯部１８３の全てが消灯する。これにより、「かがり幅」、「メス溝幅・右」又は「メス溝幅・左」に関連した誤りが発生したことを作業者等に知らしめることができる。つまり、「メス溝幅・左」、「メス溝幅・右」及び「かがり幅」の設定値が判別式▲１▼を満たした結果誤りがあるという旨を作業者等に知らしめることができる。
【０１２６】
更に、作業者等がマイナスキー１５９又はプラスキー１６０を操作することで、項目番号表示部１５８に表示される数字が変更されるが、誤りのある設定項目の項目Ｎｏ．が項目番号表示部１５８に表示された場合、項目番号表示部１５８に表示された数字が点滅する。一方、誤りのない設定項目の項目Ｎｏ．が項目番号表示部１５８に表示された場合、項目番号表示部１５８に表示された数字は点滅せず、点灯した状態を維持する。つまり、この例では、項目番号表示部１５８に「０２」、「０３」又は「０４」が表示された場合、その数字が点滅する。これにより、「メス溝幅・左」、「メス溝幅・右」又は「かがり幅」のうちの少なくとも一つの設定値に誤りがある旨を作業者等に知らしめることができる。
【０１２７】
更に、項目番号表示部１５８に表示された項目Ｎｏ．に対応する設定項目の設定値が設定値表示部１６１に表示されるが、誤りのある設定項目の項目Ｎｏ．が項目番号表示部１５８に表示された場合に、設定値表示部１６１に表示される設定値が点滅する。一方、誤りのない設定項目の項目Ｎｏ．が項目番号表示部１５８に表示された場合、設定値表示部１６１に表示される設定値が点滅せず、点灯した状態を維持する。つまり、この例では、項目番号表示部１５８に「０２」、「０３」又は「０４」が表示された場合、設定値表示部１６１に表示される設定値が点滅する。これにより、「メス溝幅・左」、「メス溝幅・右」又は「かがり幅」のうちの少なくとも一つの設定値に誤りがある旨を作業者等に知らしめることができる。
【０１２８】
なお、エラー告知部１５５の点灯部１６４が点灯又は点滅した上で、項目番号表示部１５８に表示される数字が、誤りのある設定項目の項目Ｎｏ．のみとなっても良い。つまり、作業者等がマイナスキー１５９又はプラスキー１６０を操作することで、項目番号表示部１５８に表示される数字が変更されるが、項目番号表示部１５８に表示される数字は、「０２」、「０３」又は「０４」のうちの何れかにしかならない。これにより、設定値操作部１５４により変更される設定値は、誤りのある設定項目の設定値のみとなる。項目番号表示部１５８に表示される数字が、誤りのある設定項目の項目Ｎｏ．に限定されることで、誤りのある設定項目がどれであるかを作業者等に知らしめることができる。
【０１２９】
以上の第二の実施の形態では、作業者等が準備キー１５２を操作した後に、誤りのある旨を作業者等に知らしめるようになっているが、作業者等が準備キー１５２を操作する前に設定値操作部１５４を操作している際に、設定値表示部１６１に表示される設定値に誤りがある場合に、誤りのある旨を作業者等に知らしめるようにしても良い。つまり、作業者等がマイナスキー１６２又はプラスキー１６０を操作して設定値を変更する毎に、制御装置１１０がその設定値をＲＡＭ１１３に格納するが、更に、設定値が変更される毎に制御装置１１０はＲＡＭ１１３に格納された各設定項目の設定値に誤りがあるか否かを判別している。そして、誤りがある場合には、制御装置１１０は、操作パネル１５１に対してエラー信号を出力する。
【０１３０】
操作パネル１５１がエラー信号を入力することにより、作業者等が設定値操作部１５４を操作して設定値を変更している最中に、エラー告知部１５５の点灯部１６４が点灯又は点滅をする。
【０１３１】
また、例えば項目番号表示部１５８に「０４」が表示されて、作業者等が設定値操作部１５４を操作して「かがり幅」の設定値を変更している最中に、「かがり幅」の設定値を変更した結果判別式▲１▼を満たした場合、点灯部１６９、点灯部１７９及び点灯部１８１の全てが点灯又は点滅をし、点灯部１７１、点灯部１７３、点灯部１７５、点灯部１７７及び点灯部１８３の全てが消灯する。この場合に、項目番号表示部１５８に表示される「０４」及び設定値表示部に表示される設定値が、点滅しても良い。更にこの場合、「かがり幅」の設定値に誤りがある状態で、作業者等がマイナスキー１５９又はプラスキー１６０を操作することで項目番号表示部１５８に表示される数字を変更した場合、項目番号表示部１５８に「０２」、「０３」又は「０４」が表示されるとその数字が点滅するとともに設定値表示部１６１に表示される設定値も点滅する。これにより、「かがり幅」、「メス溝幅・右」又は「メス溝幅・左」のうちの少なくとも一つの設定値に誤りがある旨を作業者等に知らしめることができる。
【０１３２】
なお、本発明は、上記実施形態に限定されることなく、本発明の趣旨を逸脱しない範囲において、種々の改良並びに設計の変更を行っても良い。
【０１３３】
例えば、上記各実施形態では、本発明が、ボタン穴かがり縫いを行うミシンに適用されているが、鳩目穴かがり縫いを行うミシン、環縫いを行うミシン、本縫いを行うミシン等に適用しても良い。
また、各設定値を制御装置１１０に対して入力するための装置として、タッチパネル１００或いは操作パネル１５１が適用されているが、制御装置１１０に接続されるキーボード、マウス、スイッチ、押しボタン等の入力装置であっても良い。
図７〜図１６及び図１８が表示される装置も、ＬＣＤ１２９に限らず、ＣＲＴ、プラズマディスプレイ、液晶プラズマディスプレイ、ＥＬ（電界発光）ディスプレイ等の表示装置であっても良い。
【０１３４】
設定項目については、「布切り長さ」、「メス溝幅・左」、「メス溝幅・右」、「かがり幅」、「平行部ピッチ」、「閂止め右補正」、「閂止め左補正」、「第一すきま」、「第二すきま」及び「閂止め長さ」に限らず、ミシンによって形成される縫い目に応じて変更可能である。
【０１３５】
「布切り長さ」、「メス溝幅・左」、「メス溝幅・右」、「かがり幅」、「平行部ピッチ」、「閂止め右補正」、「閂止め左補正」、「第一すきま」、「第二すきま」及び「閂止め長さ」を表す画像或いは項目番号も、各設定項目をそれぞれ識別することが可能であれば適宜変更可能である。
【０１３６】
関連する設定項目の設定値について誤りがあるか否かを判別するための判別式も、上記判別式▲１▼又は判別式▲２▼に限らず、本発明が適用されるミシンの種類に応じて変更可能である。
【０１３７】
制御プログラム１３０及び縫製用データベース１３２は、ＲＯＭ１１２に格納されていたが、ＣＰＵ１１１が読取り可能な記憶媒体であれば、ハードディスク、メモリ、フロッピー（登録商標）ディスク等に格納されていても良い。
【０１３８】
【発明の効果】
本発明によれば、入力した設定項目の設定値のうち、どの設定項目の設定値に誤りがあるかを把握することが、作業者等にとって可能である。これにより、誤りのある設定項目についての設定値を変更するだけで済むから、エラーとなったミシンの復帰をスムーズに行える。
【図面の簡単な説明】
【図１】図１は、本発明が適用されたボタン穴かがり縫いミシンの具体的態様が示された外観斜視図である。
【図２】図２は、上記ボタン穴かがり縫いミシンの制御系が示されたブロック図である。
【図３】図３は、上記ボタン穴かがり縫いミシンによって形成された穴かがり縫い目を示すものであり、穴かがり縫い目の各部と各設定項目の対応関係が示されている。
【図４】図４は、上記ボタン穴かがり縫いミシンに記憶された縫製データベースのデータ構成が模式的に表された図面である。
【図５】図５は、上記ボタン穴かがり縫いミシンに設けられた制御装置の全体的な処理の流れが示されたフローチャートである。
【図６】図６は、上記制御装置の全体処理のうちのサブルーチンについて、処理の流れが示されたフローチャートである。
【図７】図７は、上記ボタン穴かがり縫いミシンに設けられた表示装置に表示される画面の一例が示された図面である。
【図８】図８は、上記画面とは別の画面が示された図面である。
【図９】図９は、上記画面とは別の画面が示された図面である。
【図１０】図１０は、上記画面とは別の画面が示された図面である。
【図１１】図１１は、上記画面とは別の画面が示された図面である。
【図１２】図１２は、上記画面とは別の画面が示された図面である。
【図１３】図１３は、上記画面とは別の画面が示された図面である。
【図１４】図１４は、上記画面とは別の画面が示された図面である。
【図１５】図１５は、上記画面とは別の画面が示された図面である。
【図１６】図１６は、上記画面とは別の画面が示された図面である。
【図１７】図１７は、上記ボタン穴かがり縫いミシンとは別の例のミシンに設けられた制御装置の処理の流れが示されたフローチャートである。
【図１８】図１８は、上記別の例のミシンに設けられた表示装置に表示される画面の一例が示された図面である。
【図１９】図１９は、上記ミシンとは別の例のミシンに設けられた操作パネルが示された平面図である。
【符号の説明】
１      ボタン穴かがり縫いミシン（ミシン）
１００      タッチパネル
１１０      制御装置（処理装置）
１２９      ＬＣＤ（表示装置）
１３０      制御プログラム
１３１      設定プログラム
１３２      縫製用データベース
１５１      操作パネル
１５２      準備キー
１５３      項目操作部
１５４      設定値操作部
１５５      エラー告知部
１５６      モード切換操作部
１５７      項目切替操作部
１６４      点灯部
１６８，１７０，１７２，１７４，１７６，１７８，１８０，１８２      キー１６９，１７１，１７３，１７５，１７７，１７９，１８１，１８３      点灯部
２０１      穴かがり縫い目
３０１      縫い目表示部
３０２      第一設定値ボタン
３０３      第二設定値ボタン
３０６      準備ボタン
３０８−１〜３０８−９      項目ボタン
３０９      番号
３１０      画像
３１１      数値
３１２      入力ウィンドウ
３１３      項目表示部
３１５      設定値表示部
３１６      確定ボタン
３１７、３１９、３２０      エラーウィンドウ
【図１】
0004105859.tif 000002
【図２】
0004105859.tif 000003
【図３】
0004105859.tif 000004
【図４】
0004105859.tif 000005
【図５】
0004105859.tif 000006
【図６】
0004105859.tif 000007
【図７】
0004105859.tif 000008
【図８】
0004105859.tif 000009
【図９】
0004105859.tif 000010
【図１０】
0004105859.tif 000011
【図１１】
0004105859.tif 000012
【図１２】
0004105859.tif 000013
【図１３】
0004105859.tif 000014
【図１４】
0004105859.tif 000015
【図１５】
0004105859.tif 000016
【図１６】
0004105859.tif 000017
【図１７】
0004105859.tif 000018
【図１８】
0004105859.tif 000019
【図１９】
0004105859.tif 000020